(57)【要約】【課題】ストッパーで羽根部材を規制する際のリバウンド運動を緩和するとの着想に基づき光量調節する際の光量ムラを生ずることがなく、特に羽根部材の全開位置及び全閉位置で正確な光量規制が可能な光量調整装置を提供する。【解決手段】基板に略々直線方向に移動自在に支持され上記光路開口を開閉する一対の羽根部材と、上記一対の羽根部材を互いに逆方向に作動する駆動手段と、上記基板に設けられ上記一対の羽根部材の全開及び／又は全閉位置でそれぞれの羽根部材を突当て規制するストッパー部材とを備え、上記駆動手段は、駆動回転軸と、この駆動回転軸に支持した伝動アーム部材と、この伝動アーム部材に設けた一対の伝動ピンとで構成し、上記一対の羽根部材は、それぞれ上記伝動ピンと結合する駆動連結部と、上記ストッパー部材と係合する突当て規制部とを有する。【選択図】図２
2006267227.tif 000002
【特許請求の範囲】
【請求項１】
光路開口を有する基板と、
上記基板に略々直線方向に移動自在に支持され上記光路開口を開閉する一対の羽根部材と、
上記一対の羽根部材を互いに逆方向に作動する駆動手段と、
上記基板に設けられ上記一対の羽根部材の全開及び／又は全閉位置でそれぞれの羽根部材を突当て規制するストッパー部材とを備えた光量調整装置において、
上記駆動手段は、駆動回転軸と、この駆動回転軸に支持した伝動アーム部材と、この伝動アーム部材に設けた一対の伝動ピンとで構成され、
上記一対の羽根部材は、それぞれ上記伝動ピンと結合する駆動連結部と、上記ストッパー部材と係合する突当て規制部とを有し、
上記一対の羽根部材の少なくとも一方は、上記駆動連結部と上記突当て規制部との間に弾性変形可能な緩衝部を備え、
この緩衝部は上記突当て規制部が上記ストッパー部材に当接する際に弾性変形して該突当て規制部をストッパー部材側に付勢する凹溝で構成されていることを特徴とする光量調整装置。
【請求項２】
前記一対の羽根部材は、それぞれ前記基板に設けたガイドピンと係合するスリット溝を備え、上記ガイドピンで前記ストッパー部材が構成され、上記スリット溝の端面で前記羽根部材の突当て規制部が構成され、
前記緩衝部は上記ストッパー部材を構成するガイドピンと前記駆動連結部との間に形成されていることを特徴とする請求項１に記載の光量調整装置。
【請求項３】
前記羽根部材は、基端部に前記駆動連結部を、先端部に前記光路開口を覆う絞り開口部を有し、この駆動連結部と絞り開口部との間に前記突当て規制部と前記緩衝部が配置されていることを特徴とする請求項１又は２に記載の光量調整装置。
【請求項４】
前記緩衝部を構成する凹溝は、前記羽根部材の側縁に形成した切欠溝で構成され、
この切欠溝は前記突当て規制部が前記ストッパー部材に規制された状態で前記伝動ピンの作用で羽根部材を弾性変形する長さ形状に構成されていることを特徴とする請求項１乃至３の何れかの項に記載の光量調整装置。
【請求項５】
前記凹溝は、前記羽根部材の外縁から羽根中央部に至る切欠き溝で構成され、この切欠き溝は、前記突当て規制部が前記ストッパー部材に当接する位置でこの突当て規制部と前記ストッパー部材との係合点と、前記連結部と前記伝動ピンとの係合点とを結ぶ直線を過ぎる長さに形成されていることを特徴とする請求項１乃至３の何れかの項に記載の光量調整装置。
【請求項６】
光路開口とこの光路開口に配置され光を集光若しくは投光する光学レンズと、
この光学レンズの結像を撮像する撮像手段又は上記光学レンズに投影する光学手段と、
上記光学レンズを通過する光の光量を調整する光量調整装置とを備えた光学機器に於いて、
前記光量調整装置は、
光路開口を有する基板と、
上記基板に略々直線方向に移動自在に支持され上記光路開口を開閉する一対の羽根部材と、
上記一対の羽根部材を互いに逆方向に作動する駆動手段と、
上記基板に設けられ上記一対の羽根部材の全開及び／又は全閉位置でそれぞれの羽根部材を突当て規制するストッパー部材とを備え、
上記駆動手段は、駆動回転軸と、この駆動回転軸に支持した伝動アーム部材と、この伝動アーム部材に設けた一対の伝動ピンとで構成され、
上記一対の羽根部材は、それぞれ上記伝動ピンと結合する駆動連結部と、上記ストッパー部材と係合する突当て規制部とを有し、
上記一対の羽根部材の少なくとも一方は、上記駆動連結部と上記突当て規制部との間に弾性変形可能な緩衝部を備え、
この緩衝部は上記突当て規制部が上記ストッパー部材に当接する際に弾性変形して該突当て規制部をストッパー部材側に付勢する凹溝で構成されていることを特徴とする光学機器。
【発明の詳細な説明】
【技術分野】
【０００１】
本発明は、デジタルカメラ、ビデオカメラなどの撮影機器に、また液晶プロジェクタ、ホームシアター等の投影機器に用いられる光量を調節する光量調整装置及びこれを備えた光学機器に関する。
【背景技術】
【０００２】
一般にこの種の光量調整装置はカメラ、プロジェクタなどの光路に一枚若しくは複数枚の羽根部材を配置し、この羽根部材をモータなどの駆動装置で開閉することによって光量調節或いは遮閉する装置として広く用いられている。そして、羽根部材は光軸開口を有する基板(地板)に複数枚の羽根をそれぞれ回動自在に軸支して光量を制御する回動羽根構造と、基板の光軸開口に１枚若しくは２枚の羽根を摺動自在に配置する摺動羽根構造が知られている。本発明は基板に形成した光軸開口に２枚の羽根を摺動自在に配置し、この羽根を駆動モータで互いに反対方向に移動させて、光軸開口を通過する光量を調節或いは遮閉する装置に係わる。
【０００３】
従来このような装置としては例えば特許文献１（実開平６−２３０３７号公報）に開示されている。同文献には中央に光軸開口を有する基板にガイドピンを設け、このガイドピンに左右一対の羽根部材に形成したスリットを嵌合して、摺動自在に支持している。そして基板に取り付けた電磁モータの回動軸にアーム部材を設け、このアーム部材に形成した左右一対の伝動ピンに羽根部材をピンスリット結合することによって左右一対の羽根部材が反対方向に摺動するように構成している。また左右一対の羽根部材には絞り口径を形成する開口縁が形成してあり、この開口縁は光軸を中心として接近或いは離間して光軸の周囲に大小の絞り口径を形成し、また２枚の羽根を完全に閉じ合わせて光軸開口を遮閉している。
【０００４】
従って、左右一対の羽根部材或いは光軸開口を遮閉したシャッタ位置若しくは最小絞り位置にストッパピンが設けられ、羽根部材の所定以上運動するのを防止している。このような装置にあって羽根部材をストッパピンで係止する際に生ずる衝撃で羽根部材が前後に振動する所謂チャタリング現象は良く知られ、従来シャッタ動作の際には２枚の羽根重なり部分を大きくして羽根の振動で規制光量に変化を生じないように配慮している。一方、カメラ装置の小型化、特に携帯端末に組込まれる光量調整装置にあっては小型化と駆動モータの消費電力が問題となり、光量調整用の羽根部材も小型でかつ駆動トルクの小さいものが要求されている。
【特許文献１】実開平６−２３０３７号公報
【発明の開示】
【発明が解決しようとする課題】
【０００５】
上述のように光軸開口に臨ませた一対の羽根部材で絞り動作或いはシャッタ動作を行う際に羽根部材をストッパピンで運動規制すると羽根部材がリバウンドして光量ムラが生ずるチャタリング現象が問題となる。このたる従来は羽根のリバウンドを抑えるように駆動部と羽根部材との間のガタつきが生じないように配慮し、或いは開閉速度を緩やかにするように配慮している。これと同時にチャタリング現象が生ずることを予定して羽根相互の重なり量を大きくするため羽根を大きくして開閉ストロークを大きくしている。従って羽根部材の形状は大型化し、その運動領域も大きくなり、同時に駆動モータも大きなトルクで大型化し、消費電力も大きくなる問題がある。
【０００６】
そこで本発明はストッパーで羽根部材を規制する際のリバウンド運動を緩和するとの着想に基づき光量調節する際の光量ムラを生ずることがなく、特に羽根部材の全開位置及び全閉位置で正確な光量規制が可能な光量調整装置の提供をその主な課題としている。同様に本発明は羽根部材の開閉ストロークを必要以上に大きくすることも、また羽根部材の全閉時の重なり量（オーバーラップ量）を大きくすることも必要とせず、小型で限られたスペース内に容易に組込むことの可能な光量調整装置の提供をその課題としている。
【課題を解決するための手段】
【０００７】
本発明は上記課題を解決する為に以下の構成を採用したものである。まず本発明に係る第１の発明は、光路開口を有する基板と、上記基板に略々直線方向に移動自在に支持され上記光路開口を開閉する一対の羽根部材と、上記一対の羽根部材を互いに逆方向に作動する駆動手段と、上記基板に設けられ上記一対の羽根部材の全開及び／又は全閉位置でそれぞれの羽根部材を突当て規制するストッパー部材とを備えた光量調整装置において、上記駆動手段は、駆動回転軸と、この駆動回転軸に支持した伝動アーム部材と、この伝動アーム部材に設けた一対の伝動ピンとで構成する。そして上記一対の羽根部材にはそれぞれ上記伝動ピンと結合する駆動連結部と、上記ストッパー部材と係合する突当て規制部とを設ける。同時にこの一対の羽根部材の少なくとも一方に、上記駆動連結部と上記突当て規制部との間に弾性変形可能な緩衝部設ける。
【０００８】
そしてこの緩衝部を上記突当て規制部が上記ストッパー部材に当接する際に弾性変形して突当て規制部をストッパー部材側に付勢する凹溝で構成する。これによって羽根部材にストッパー部材からリバウンド力が作用する際に緩衝部の弾性変形で羽根の突当て規制部はストッパー部材側に付勢されリバウンドを防止することとなり前述の課題を達成することが出来る。
【０００９】
また一対の羽根部材は、それぞれ前記基板に設けたガイドピンと係合するスリット溝を設け、このスリット溝に沿って略直線上に摺動自在に支持する。そしてこのガイドピンで前記ストッパー部材を構成してスリット溝の端面で前根部材の突当て規制部を構成する。そこで前記緩衝部を上記ストッパー部材を構成するガイドピンと前記駆動連結部との間に配置することによって羽根の開閉と全開及び全閉時の運動規制をガイドピンで行うことが出来、構造を簡素化することが可能となる。更に、前記羽根部材は、基端部に前記駆動連結部を、先端部に前記光路開口を覆う絞り開口部を形成し、この駆動連結部と絞り開口部との間に前記突当て規制部と前記緩衝部を配置する。
【００１０】
従って緩衝部の弾性変形によって羽根先端部の絞り開口部が変形することがない。そして、前記緩衝部を構成する凹溝を前記羽根部材の側縁に形成した切欠溝で構成し、この切欠溝は前記突当て規制部が前記ストッパー部材に規制された状態で前記伝動ピンの作用で羽根部材を弾性変形する長さ形状に構成する。この場合、この切欠き溝は前記突当て規制部が前記ストッパー部材に当接する位置でこの突当て規制部と前記ストッパー部材との係合点と、前記連結部と前記伝動ピンとの係合点とを結ぶ直線を過ぎる長さに形成する。これによってより大きな弾性変形と付勢力を得ることが出来る。
【００１１】
また本発明に係る第２の発明は、光路開口とこの光路開口に配置され光を集光若しくは投光する光学レンズと、この光学レンズの結像を撮像する撮像手段又は上記光学レンズに投影する光学手段と、上記光学レンズを通過する光の光量を調整する光量調整装置とを備えた光学機器に於いて、前記光量調整装置は、光路開口を有する基板と、上記基板に略々直線方向に移動自在に支持され上記光路開口を開閉する一対の羽根部材と、上記一対の羽根部材を互いに逆方向に作動する駆動手段と、上記基板に設けられ上記一対の羽根部材の全開及び／又は全閉位置でそれぞれの羽根部材を突当て規制するストッパー部材とを備え、上記駆動手段は、駆動回転軸と、この駆動回転軸に支持した伝動アーム部材と、この伝動アーム部材に設けた一対の伝動ピンとで構成し、上記一対の羽根部材は、それぞれ上記伝動ピンと結合する駆動連結部と、上記ストッパー部材と係合する突当て規制部とを有し、上記一対の羽根部材の少なくとも一方は上記駆動連結部と上記突当て規制部との間に弾性変形可能な緩衝部を備え、この緩衝部は上記突当て規制部が上記ストッパー部材に当接する際に弾性変形して該突当て規制部をストッパー部材側に付勢する凹溝で構成する。
【発明の効果】
【００１２】
本発明は、光路開口を有する基板に一対の羽根部材を直線方向に移動自在に取り付け、この羽根部材の少なくとも１つに全開及び／又は全閉位置でストッパー部材と係合する突き当て規制部と駆動連結部との間に凹溝から成る弾性変形可能な緩衝部を設けたものであり、この緩衝部によって羽根部材がストッパー部材に突き当たった際の衝突でリバウンドする力が軽減される。
【００１３】
つまりストッパーに突き当たった際に、羽根部材には衝突による反力と同時に駆動モータなどの駆動手段の慣性力を受けて緩衝部の弾性変形による弾性力が作用し、この反力に対し弾性力は逆方向に作用するため羽根のリバウンドを軽減することが出来る。従って、羽根部材はストッパー部材に突き当たった際にリバウンドが緩和され、その結果一対の羽根部材は閉鎖状態（全閉位置）で互いに重なり合うオーバーラップ量を小さくすることができ、同様に羽根の全開状態では開閉動作領域を光路開口縁に近づけることが可能であり限られた空間スペース内に羽根部材を配置することが出来る。また、その為の構成も羽根部材に凹溝などの緩衝部を形成するのみで良く簡単で安価である等の効果を奏する。
【発明を実施するための最良の形態】
【００１４】
以下本発明を図示の好適な実施の形態に基づいて詳述する。図１乃至図９は本発明に係る光量調整装置を示し、図１はその外観を示す斜視図、図２はその分解斜視図、図３乃至図９はその要部の説明図である。図示の光量調整装置は、基板１０、第１の羽根部材２０、第２の羽根部材３０、押え板４０、駆動手段支持フレーム５０、駆動手段６０、フレームカバー７０、ヨーク８０で構成され、以下順次これを説明する。
【００１５】
まず基板１０は、合成樹脂のモールド成形で扁平形状に構成され、その中央に光路開口１１が設けてある。この光路開口１１の周囲には羽根部材を摺動自在に支持するガイドピン１２ａ乃至１２ｄと、羽根部材との摩擦を軽減する突起リブ１３が一体形成してある。後述する第１の羽根部材２０はガイドピン１２ａ、１２ｂ、１２ｃ、に支持され、第２の羽根部材３０はガイドピン１２ａ、１２ｃ、１２ｄに支持され、それぞれ略々直線方向に案内される。また、突起リブ１３は羽根の移動方向に複数条の突起で形成され図示のものは光路開口１１を挟んでその左右両側部に形成してある。尚、この突起リブ１３は羽根部材を直線方向に移動自在に案内するのと同時に後述する羽根部材の緩衝部が容易に弾性変形するように摩擦を軽減している。
【００１６】
更に上記基板１０には、押え板４０を係止する突起爪１４及びこの押え板４０を所定の間隔で離間保持する窪み溝１５、駆動手段支持フレーム５０を図示せぬビスで取り付けるための支持孔１６及び係止爪1７、駆動手段６０の後述する伝動アーム６４の先端部が貫通し揺動自在なスリット孔１８を樹脂成形加工により一体形成している。また基板１０の外形外周に沿って壁部１９がフランジ状に設けられ、羽根部材２０，３０がスライドする許容空間を形成している。この壁部１９にはその上面より若干突出した突起１９ａが設けてある。
【００１７】
次に、上記基板１０に取り付けられる一対の羽根部材について説明する。図示の羽根部材は、板厚４０μから５０μの黒色不透明樹脂シートをプレス加工で所定形状に打ち抜き成形で構成される。このように合成樹脂のフィルム材料で羽根部材を形成したのは加工が容易で軽量に構成することが出来、駆動装置を小型化できるためである。これと同時に合成樹脂の羽根部材は弾性変形し易い為であり、後述する緩衝部の弾性変形が得られれば合成樹脂に限らず金属薄板で形成しても良い。そこで第１の羽根部材２０には、図４に示す様に基板１０の光路開口１１に望む絞り部２１が形成してあり、この絞り部２１は第２の羽根部材３０の絞り部３１と共に光路開口１１を開閉する形状に構成する。図示の絞り部２１と３１とは互いに半円形状で反対方向に配置され光路開口１１に大小の口径を形成するようになっている。
【００１８】
また、第１の羽根部材２０にはスリット孔２２ａ乃至２２ｃが形成してあり、基板１０のガイドピン１２ａ，１２ｂ，１２ｃに嵌合して直線方向にスライド自在に支持される。同様にスリット孔２３が形成され、後述する伝動アーム６４の伝動ピン６４ａが係合される。このように構成された第１の羽根部材２０には伝動ピン６４ａを係合するスリット孔２３とガイドピン１２ｂに嵌合するスリット孔２２ｂとの間に緩衝部２４が形成してある。図示の緩衝部２４は羽根の外縁に切欠き溝を形成した凹溝で形成してある。従って第１の羽根部材２０には伝動ピン６４ａと係合する駆動連結部（スリット孔２３）とスリット孔２２ｂとの間に凹溝からなる緩衝部２４が形成されることとなる。そしてこのスリット孔２２ｂの端縁は後述する羽根の全閉位置での突き当て規制部を構成することとなる。
【００１９】
次に、第２の羽根部材３０は、第１の羽根部材２０と同様に外形形状は異なるものの、板厚４０μから５０μの黒色不透明樹脂シートをプレス加工で外形を抜くと同時に、図５に示す様に基板１０の光路開口１１を第１の羽根部材２０とともに開閉する絞り部３１、基板１０のガイドピン１２ａ，１２ｃ，１２ｄが貫通しそのガイドピン１２ａ，１２ｃ，１２ｄにスライド自在に支持されるスリット孔３２ａ乃至３２ｃ、および駆動手段６０の後述する伝動アーム６４の伝動ピン６４ｂが貫通しスライド駆動するスリット孔３３が形成されている。
【００２０】
このように構成された第２の羽根部材３０には伝動ピン６４ｂを係合するスリット孔３３とガイドピン１２ｄに嵌合するスリット孔３２ｃとの間に緩衝部３４が形成してある。図示の緩衝部３４は羽根の外縁に切り欠き溝を形成した凹溝で形成してある。従って第２の羽根部材３０には伝動ピン６４ｂと係合する駆動連結部（スリット孔３３）とスリット孔３２ｃとの間に凹溝からなる緩衝部３４が形成されることとなる。そしてこのスリット孔３２ｃの端縁は後述する羽根の全閉位置での突き当て規制部を構成することとなる。
【００２１】
次に、図２及び図６に示す押え板４０は、アルミのシート材をプレス加工と曲げ加工により成形されたもので、上述の基板１０をカバーリングした際に、基板１０の光路開口１１とほぼ同径の光路開口４１、基板１０の突起爪１４と係合する係止孔４２、基板１０の窪み溝１５と位置決めされ、基板１０との間に羽根部材２０，３０が移動自在な許容空間スペースを形成する高さ位置決め突起４３、基板１０の壁部１９より突出した突起１９ａにより横方向の位置決めをする水平位置決め突起４４、基板１０のスリット孔１８を貫通し羽根部材２０，３０を駆動する駆動手段６０の後述する伝動アーム６４の揺動を妨げ無いように開口したスリット状の逃げ孔４５、基板１０の支持孔１６が貫通する貫通穴４６、羽根部材２０の許容空間スペースの高さ方向を規制する突出量が高いガイドリブ４７、羽根部材３０の許容空間スペースの高さ方向を規制する突出量がガイドリブ４７より小さい低いガイドリブ４８、基板１０のガイドピン１２ａ乃至１２ｄの逃げ孔４９がそれぞれ形成されている。
【００２２】
次に、図２及び図７に示す駆動手段支持フレーム５０は、駆動手段６０を基板１０に取り付ける為のもので、基板１０の係止爪１７に係止される係止孔５１、基板１０の支持孔１６に図示せぬビスによりビス止めされるビス孔５２を形成し基板１０に固定支持される。また、中央部位に駆動手段６０を回転止めする止め溝５３、駆動手段６０の後述する伝動アーム６４が貫通し揺動するスリット状の逃げ孔５４、駆動手段６０を包み込む側壁５５を形成している。
【００２３】
次に、図２及び図８に示す駆動手段６０及びヨーク８０は、電導コイル６１、この電導コイル６１を巻回するための外周に凹環溝を形成したコイル枠６２、コイル枠６２の内部に回動自在に支持されたＮ、Ｓの２極に着磁されたマグネットロータ６３、マグネットロータ６３に一体形成されコイル枠６２より左右から外部に突出した伝動アーム６４と伝動アーム６４と一体に形成された伝動ピン６４ａ，６４ｂ、駆動手段支持フレーム５０の止め溝５３に回転止めされる突起６５から成る。また同駆動手段６０を外部磁界より遮蔽及びマグネットロータ６３の磁気回路を形成するヨーク８０から成る。
【００２４】
次に、図２及び図９に示すフレームカバー７０は、駆動手段支持フレーム５０に固定支持された駆動手段６０を支える側壁７１、ヨーク８０の取り付け位置を位置決めする位置決め孔７２を形成するとともに駆動手段支持フレーム５０をカバーリングする。
【００２５】
次に、以上説明した各部品の組立工程について図２に基づき説明する。まず、基板１０の突起リブ１３上に羽根部材２０を載置すべく基板１０のガイドピン１２ａ、１２ｂ、１２ｃに羽根部材２０のスリット孔２２ａ、２２ｂ、２２ｃをそれぞれ同時に差し込みセットする。その上から同様に羽根部材３０を載置すべく基板１０のガイドピン１２ａ、１２ｃ、１２ｄに羽根部材３０のスリット孔３２ａ、３２ｂ、３２ｃをそれぞれ同時に差し込みセットする。
【００２６】
そして、その上から押え板４０を、更に駆動手段支持フレーム５０を基板１０に取り付ける。その際に図示せぬセット冶工具で基板１０、羽根部材２０，３０及び押え板４０の各部材に設けた組立時の位置決め孔Ｐ１乃至Ｐ４の中心が一致するように位置決めする。この状態で駆動手段６０の伝動アーム６４が羽根部材２０、３０のスリット孔２３、３３に貫通するように嵌め込んだ後、駆動手段６０の突起６５を駆動手段支持フレーム５０の止め溝５３に指し込み若干回転させ固定する。駆動手段６０を駆動手段支持フレーム５０に取り付け後、フレームカバー７０の位置決め孔７２を駆動手段６０に嵌合した状態で、フレームカバー７０の側壁７１とヨーク８０の接触部をボンドで接着することで装置の組立が完成する。
【００２７】
次に、上述の光量調整装置の光量調整動作について説明する。光量調整装置を搭載した光学機器本体からの光量調整信号に応じ図示せぬ光量調整装置を制御する制御回路により駆動手段６０の電導コイル６１に電流が供給される。この供給電流の流れる方向を切り替えることで、その電導コイル６１に磁界が発生し、その磁界により駆動手段６０のマグネットロータ６２をその供給電流の流れる方向に応じた方向に回転トルクが生じ回転する。この回転により駆動手段６０の伝動アーム６４が揺動し羽根部材２０、３０を互いに逆方向に移動し基板１０の光路開口１１を開閉駆動し光量を調整する。
【００２８】
本発明は上述の動作の過程で緩衝部２４の作用によって羽根部材のリバウンドを防止したものであり、これを図１０乃至１３に基づき説明する。図１０は第１の羽根部材２０の全開位置での羽根の挙動を、図１１は全閉位置での羽根の挙動をそれぞれ示している。図示の第１の羽根部材２０は基板１０に設けたガイドピン１２ｂがストッパー部材を兼ね、このガイドピン１２ｂに係合したスリット孔２２ｂの図示左端縁が全開時の突き当て規制部（当接面）を構成している。尚、図示のスリット孔２２ａは右端縁が全閉時の突き当て規制部となる。
【００２９】
そこで図１０（ａ）は、第１の羽根部材２０が同図右方向に移動し開放位置にある状態を示し、図中、ガイドピン１２ｂがスリット孔２２ｂの左端縁と当接状態となっている。このガイドピン１２ｂの規制により絞り部２１が基板１０の露光開口１１に対し所定量退避した全開位置で位置規制される。この規制位置は基板１０の露光開口１１、ガイドピン１２ｂと羽根部材２０のスリット孔２２ｂの各部品精度を管理することによって正確に維持されている。また同図（ｂ）は羽根部材が開放位置に至った直後の状態を示す。
【００３０】
ストッパー部材を兼ねるガイドピン１２ｂの中心と、スリット孔２３が伝動ピン６４ａに当接する接点とを結ぶ直線上の中間位置に緩衝部２４が形成されている。この緩衝部２４は羽根部材の側縁から切り欠かれた凹溝で構成されている。また、この凹溝はストッパー部材（ガイドピン１２ｂ）にスリット孔２２ｂの端縁が規制された直後に駆動手段の慣性によって羽根部材の駆動連結部（スリット孔２３）にストッパー部材の中点を結ぶ直線方向に力が作用し、緩衝部２４が図示のように弾性変形する。従って凹溝の形状はこの弾性変形によって十分な弾性力が羽根部材の突き当て規制部に及ぶように設定する。そしてこの弾性変形により羽根部材２０のリバウンドが吸収され、絞り部２１の全開位置からのリバウンドを軽減することが出来る。
【００３１】
この結果、緩衝部２４を備えない場合と比較して絞り部２１の露光開口１１からの退避距離Ｌ１位置を設計上小さく設定することが出来、装置のコンパクト化を図ることが出来る。尚、ガイドピン１２ｂが羽根部材２０のストッパー部材を兼ねているが、他のガイドピン１２ａ、１２ｃのいずれか１つに設定しても、また３つのガイドピン１２ａ、１２ｂ、１２ｃが同時にストッパー部材として作用しても、或いは新たに基板１０にピンを植設してストッパー部材としても良い。
【００３２】
図１１は、第１の羽根部材２０の全閉時の羽根の挙動を示し、同図（ａ）は羽根部材２０が同図左方向に移動しガイドピン１２ｂがスリット孔２２ｂの右端縁と当接した状態を示し、同図（ｂ）は、駆動手段が慣性によって羽根部材の緩衝部２４を弾性変形させた状態を示す。同図（ａ）の状態で第１の羽根部材２０は、ガイドピン１２ｂの規制により絞り部２１が基板１０の露光開口１１の中心に対し所定量行き過ぎた進入位置で位置規制される。この進入した規制位置は基板１０の露光開口１１、ガイドピン１２ｂと羽根部材２０のスリット孔２２ｂの適正な部品精度により設定される。
【００３３】
また同図（ｂ）は閉鎖位置に成った直後の状態を示すもので、ストッパー部材を兼ねるガイドピン１２ｂの中心とスリット孔２３の駆動手段６０の伝動ピン６４ａが押圧し作用力を付与する接点とを結ぶ直線上の中間部位に羽根部材の側端部から切り欠かれた凹溝で構成された緩衝部２４が形成されている。また、この凹溝の溝はストッパー部材であるガイドピン１２ｂにスリット孔２２ｂの端部が規制された直後に前記駆動手段と駆動連結する前記連結部の接点に加えられ前記ストッパー部材の中点を結ぶ直線方向に作用する駆動手段６０の作用力により緩衝部２４が図のように弾性変形し得る深さに形成している。この弾性変形により第１の羽根部材２０のリバウンドが吸収され、絞り部２１の退避位置からのリバウンドを軽減することが出来る。この結果、緩衝部２４を有さない場合と比較して絞り部２１の露光開口１１からの進入距離Ｌ３を設計上小さく設定することが出来、装置のコンパクト化を図ることが出来る。
【００３４】
次に、図１２は第２の羽根部材３０の全開位置での羽根の挙動を、図１３は全閉位置での羽根の挙動をそれぞれ示している。図示の第２の羽根部材３０は基板１０に設けたガイドピン１２ｄがストッパー部材を兼ね、このガイドピン１２ｄに係合したスリット孔３２ｃの図示左端縁が全開時の突き当て規制部（当接面）を構成している。尚、このスリット孔３２ｃは右端縁が全閉時の突き当て規制部となる。
【００３５】
図１２（ａ）は第２の羽根部材３０が同図左方向に移動し開放位置にある状態を示すもので、図中、基板１０のガイドピン１２ｄが第２の羽根部材３０のストッパー部材を兼ね、このガイドピン１２ｄがスリット孔３２ｃの同図右端と当接状態となっている。このガイドピン１２ｄの規制により絞り部３１が基板１０の露光開口１１に対し所定量退避した位置で位置規制される。この退避した全開位置は基板１０の露光開口１１、ガイドピン１２ｄと第２の羽根部材３０のスリット孔３２ｃの部品精度を管理して適正な位置に設定する。
【００３６】
また同図（ｂ）は開放位置に至った直後の状態を示すもので、ストッパー部材を兼ねるガイドピン１２ｄの中心とスリット孔３３に嵌合する駆動手段６０の伝動ピン６４ｂが押圧し作用力を付与する接点とを結ぶ直線上の中間部位に羽根部材の側端部から切り欠かれた凹溝で構成された緩衝部３４が形成されている。つまりこの切欠き溝は、羽根の突当て規制部がストッパー部材（ガイドピン１２ｄ）に当接する位置でこの突当て規制部と前記ストッパー部材との係合点（面若しくは線;以下同様）と、前記連結部と前記伝動ピンとの係合点とを結ぶ直線を過ぎる長さに形成してある。
【００３７】
従って、この凹溝はストッパー部材であるガイドピン１２ｄにスリット孔３２ｃの端部が規制された直後に前記駆動手段６０と駆動連結する前記連結部の接点に駆動手段６０から作用する慣性力によって緩衝部３４が図のように弾性変形し、この弾性変形によって羽根の突当て規制部はガイドピン１２ｄ側に付勢されることとなる。このように弾性変形により第２の羽根部材３０のリバウンドが吸収され、絞り部３１の退避位置からのリバウンドを軽減することが出来る。この結果、緩衝部３４を有さない場合と比較して絞り部３１の露光開口１１からの退避距離Ｌ２を設計上小さく設定することが出来、装置のコンパクト化を図ることが出来る。
【００３８】
また一方、図１３（ａ）は第２の羽根部材３０が同図右方向に移動し閉鎖位置にある状態を示し、図中、基板１０のガイドピン１２ｄが開放位置と同様に羽根部材３０のストッパー部材を兼ね、このガイドピン１２ｄがスリット孔３２ｃの同図左端と当接状態となっている。このガイドピン１２ｄの規制により絞り部３１が基板１０の露光開口１１の中心に対し所定量行き過ぎた進入位置で位置規制される。この進入した規制位置は基板１０の露光開口１１、ガイドピン１２ｄと第２羽根部材３０のスリット孔３２ｃの部品精度によって適切な位置に設定する。
【００３９】
また同図（ｂ）は閉鎖位置に成った直後の状態を示すもので、ストッパー部材を兼ねるガイドピン１２ｄの中心とスリット孔３３の駆動手段６０の駆動ピン６４ｂが押圧し作用力を付与する接点とを結ぶ直線上の中間部位に羽根部材の側端部から切り欠かれた凹溝で構成された緩衝部３４が形成されている。また、この凹溝の溝はストッパー部材であるガイドピン１２ｄにスリット孔３２ｃの端部が規制された直後に前記駆動手段６２０と駆動連結する前記連結部の接点に加えられ前記ストッパー部材の中点を結ぶ直線方向に作用する駆動手段６０の作用力により緩衝部３４が図のように弾性変形し得る深さに形成している。この弾性変形により第２の羽根部材３０のリバウンドが吸収され、絞り部３１の退避位置からのリバウンドを軽減することが出来る。
【００４０】
この結果、緩衝部３４を備えない場合と比較して絞り部３１の露光開口１１からの進入距離Ｌ４を設計上小さく設定することが出来、同時に装置のコンパクト化を図ることが可能である。尚、ガイドピン１２ｄが第２の羽根部材３０のストッパー部材を兼ねているが、他のガイドピン１２ａ、１２ｃのいずれか、また３つのガイドピン１２ａ、１２ｃ、１２ｄが共に、更に新たに基板１０にピンを植設しストッパー部材としても良い。また、前記羽根部材２０、３０のリバウンド防止として各羽根部材に緩衝部２４、３４を設けたが装置の作動速度、装置のスペック等で異なるリバウンド量に応じ、そのリバウンド量が比較的小さい場合には片方の羽根部材に緩衝部を施すことでも良い。
【００４１】
次に上述の光量調整装置を用いた光学機器について説明する。図１４はプロジェクタ装置を示し、ケーシング内にＲＧＢ３種類の発光ＬＥＤを一組とする複数個の白色光源からなる光源部１００と、この白色光源からの光をＲＧＢ三原色に分光する分光部と、画像データ入力部からの信号に基づいて画像を形成する画像形成部と、上記分光部から画像形成部に照射した光を投光する投光部とから構成されている。
【００４２】
一般にプロジェクタへの画像入力の方法としてはＲＧＢ信号、コンポーネント信号、ハイビジョン信号、ビデオ信号等があり、ＲＧＢ信号は例えばコンピュータの画像出力端子からプロジェクタに信号を送る場合であり、コンポーネント信号はＤＶＤプレーヤ、ハイビジョン信号はハイビジョンテレビなどのチューナ、ビデオ信号はビデオデッキなどの出力端子とプロジェクタ装置とを接続する。
【００４３】
図１４に示すＨはプロジェクタ、Ｓは画像を投影する為のスクリーンである。プロジェクタＨには投写のための光源１００が備えられ、ＲＧＢ３種類の発光ＬＥＤを一組とする複数個の白色光源からなる発光素子が内蔵されている。そして光源１００から射出された光は各素子自体前方に配置された対物レンズ（図示せず）によって集光され、インテグレータレンズ３００及び中央部位に矩形の開口４００ａを備えた遮光板４００でほぼ矩形の平行光とし斑の少ない光として照射する。そこで光源１００とインテグレータレンズ３００との間に前述の光量調整装置６００が配置され、その構成は上述の光量調整装置と同一である。
【００４４】
そしてこの光量調整装置６００で光量調節された光は液晶パネルへの集光効率と周辺光量比を改善するインテグレータレンズ３００と遮光板４００を通過した光は、反射ミラー１２０ａによりほぼ直角に折り曲げられる。この光は分光ミラーによってＲ、Ｇ、Ｂ三原色に分岐されるが、まずＧ光とＲ光を透過させＢ光のみを反射させる特性を持ったダイクロイックミラー１００ａにより反射分離されたＢ光は、さらに反射ミラー１２０ｂを介して集光レンズ５００aに導かれ平行光に集光されて液晶パネル８００ａを透過しＢ光の画像として合成プリズム１１０に至るように構成されている。また、１段目のダイクロイックミラー１００aを透過したＧ光とＲ光は、Ｒ光を透過させＧ光を反射させる特性を持った２段目のダイクロイックミラー１００ｂにより反射分離されたＧ光は、集光レンズ５００ｂで平行光に集光され液晶パネル８００ｂを透過しＧ光の画像として合成プリズム１１０に至る。
【００４５】
同様に２段目のダイクロイックミラー１００ｂを透過したＲ光は、２枚の反射ミラー１２０ｃ、１２０ｄを介して集光レンズ５００ｃに導かれ平行光に集光されて液晶パネル８００ｃを透過しＲ光の画像として合成プリズム１１０に至る。そこで合成プリズム１１０にはＲ、Ｇ、Ｂ三原色が１つに合成されカラー画像として投影レンズ９００に導かれ、この投影レンズ９００で適宜拡大され前方のスクリーンＳに投写される。
【図面の簡単な説明】
【００４６】
【図１】本発明に係る光量調整装置の外観を示す斜視図。
【図２】図１の装置の分解斜視図。
【図３】図１の装置における基板の正面平面図。
【図４】図１の装置における一方の羽根部材の正面平面図。
【図５】図１の装置における他方の羽根部材の正面平面図。
【図６】図１の装置における押え板の正面平面図。
【図７】図１の装置における駆動手段支持フレームの正面平面図。
【図８】図１の装置における駆動手段の正面平面図。
【図９】図１の装置におけるフレームカバーの正面平面図。
【図１０】図１の装置における一方の羽根部材の開放状態でのリバウンド吸収状態説明図を示し、（ａ）は第１の羽根部材が移動し開放位置にある状態であり、（ｂ）は第１の羽根部材が開放位置に至った直後の状態である。
【図１１】図１の装置における一方の羽根部材の閉鎖状態でのリバウンド吸収状態説明図を示し、（ａ）は第１の羽根部材が同図左方向に移動しガイドピンがスリット孔の右端縁と当接した状態であり、（ｂ）は駆動手段が慣性によって第１の羽根部材の緩衝部を弾性変形させた状態である。
【図１２】図１の装置における他方の羽根部材の開放状態でのリバウンド吸収状態説明図を示し、（ａ）は第２の羽根部材が移動し開放位置にある状態であり、（ｂ）は第２の羽根部材が開放位置に至った直後の状態である。
【図１３】図１の装置における他方の羽根部材の閉鎖状態でのリバウンド吸収状態説明図を示し、（ａ）は第２の羽根部材が同図左方向に移動しガイドピンがスリット孔の右端縁と当接した状態であり、（ｂ）は駆動手段が慣性によって第２の羽根部材の緩衝部を弾性変形させた状態である。
【図１４】上記光量調整装置を組み込んだ光学機器の一例としてプロジェクタ装置を示す説明図。
【符号の説明】
【００４７】
１０  基板
１２ａ，１２ｂ，１２ｃ，１２ｄ  ガイドピン（ストッパー部材）
２０  第１の羽根部材
２２ａ，２２ｂ，２２ｃ  スリット孔
２３、３３  スリット孔
２４、３４  緩衝部
３０  第２の羽根部材
３２ａ，３２ｂ，３２ｃ  スリット孔
４０  押え板
５０  駆動手段支持フレーム
６０  駆動手段
７０  フレームカバー
８０  ヨーク
【図１】
2006267227.tif 000003
【図２】
2006267227.tif 000004
【図３】
2006267227.tif 000005
【図４】
2006267227.tif 000006
【図５】
2006267227.tif 000007
【図６】
2006267227.tif 000008
【図７】
2006267227.tif 000009
【図８】
2006267227.tif 000010
【図９】
2006267227.tif 000011
【図１０】
2006267227.tif 000012
【図１１】
2006267227.tif 000013
【図１２】
2006267227.tif 000014
【図１３】
2006267227.tif 000015
【図１４】
2006267227.tif 000016